(57)【要約】      （修正有）【課題】ケーブルの支持作業の容易化及び迅速化、並びに低コスト化が可能なケーブル支持具を提供する。【解決手段】ケーブルを支持するケーブル支持具であって、ケーブル支持具１は、ケーブルＡを挿通支持するケーブル挿通部２と、隣接して対面するケーブル挿通部同士を連結する連結部３とを備え、連結部は、ケーブル挿通部同士が対面する一端面に設けられた係合部３０と、他端面に設けられた被係合部３１とを備え、被係合部に対する係合部の係合によって、複数のケーブル支持具同士を連結できる。【選択図】図３
0003188664.tif 000002
【実用新案登録請求の範囲】
【請求項１】
ケーブルを支持するケーブル支持具であって、前記ケーブル支持具は、前記ケーブルを挿通支持するケーブル挿通部と、隣接して対面する前記ケーブル挿通部同士を連結する連結部と、を備え、前記連結部は、前記ケーブル挿通部同士が対面する一端面に設けられた係合部と、他端面に設けられた被係合部とを備え、前記被係合部に対する前記係合部の係合によって、複数の前記ケーブル支持具同士を連結するようにされていることを特徴とするケーブル支持具。
【請求項２】
前記係合部を係合突起とし、前記被係合部を前記突起が挿し込まれる係合孔とし、前記係合突起には、前記係合孔への挿し込み状態において、前記係合孔の周りに掛合することで、前記係合孔に対する前記係合突起の挿し込み状態を保持する保持突起を備えている請求項１記載のケーブル支持具。
【請求項３】
前記ケーブル挿通部が、前記ケーブルの周囲を囲むように形成された支持部と、前記支持部の径方向側の一部に、前記ケーブルを前記支持部の径方向から該支持部に挿入するように形成された挿入空間とを備え、前記挿入空間が、該挿入空間の幅を前記ケーブルの径よりも幅狭とすると共に、前記ケーブル挿通部同士が対面する一端面側に形成されている請求項１又は２記載のケーブル支持具。
【請求項４】
前記被係合部と同じ構成とする被係合部を有し、前記ケーブル挿通部を配置する取り付け対象部に取り付けられる取り付け体を備えている請求項１乃至３いずれか１項記載のケーブル支持具。
【考案の詳細な説明】
【技術分野】
【０００１】
本考案は、通信用ケーブルや各種ケーブルをその配線道中において支持するケーブル支持具に関する。
【背景技術】
【０００２】
通信用ケーブルや各種ケーブルをその配線道中において支持するケーブル支持具は、ケーブルを径方向で挟持するクランプ構造のものが知られている。
【０００３】
下記、特許文献１に記載のケーブル支持具は、一対のクランプ腕が互いに接近・離間する方向に回転可能に軸支され、この一対のクランプ腕同士を接近させることで、ケーブルを支持する状態をロックするロック体が備えられており、この一対のクランプ腕同士を接近させることによって、ロック体がケーブルを支持する状態を自動的にロックするようになっている。
【０００４】
特許文献１の従来技術によると、鉄塔等の高所におけるボルト・ナットによる一対のクランプ腕同士の締め付け作業が不要であるので、作業の安全性や迅速性を良好なものとすることができる。
【０００５】
しかしながら、特許文献１の従来技術は、複数本のケーブルを支持する場合には、ケーブルの本数分のケーブル支持具を鉄塔等に取り付ける作業が必要であるため、このケーブル支持具の取り付け作業に相当の時間が掛かるという問題があった。
【０００６】
このような問題を解決するため、下記、特許文献２に記載されているように、相互に対をなすケーブル支持部材を備え、このケーブル支持部材の対向面に、適数個の半円状凹部を対向並設し、この半円状凹部を外れた両側部位において、半円状凹部の中心線と交差する方向にスタッドボルトを取り付けるケーブル支持具が提案されている。
【０００７】
特許文献２の従来技術によると、ケーブルを挟んでケーブル支持部材を対向させると共に、このケーブル支持部材に取り付けられたスタッドボルト同士を螺合することによって、複数のケーブルを支持できるケーブル支持具を構成することができる。また、ケーブル支持部材を三個以上連結することによって、複数のケーブルを支持できるケーブル支持具を複数連設することができる。
【先行技術文献】
【特許文献】
【０００８】
【特許文献１】特開平６−３８３４２号公報
【特許文献２】実用新案登録第３０２６４２６号公報
【考案の概要】
【考案が解決しようとする課題】
【０００９】
特許文献２の従来技術によると、複数のケーブルを支持できる構成のケーブル支持具であるので、ケーブル支持具の鉄塔等に対する取り付け工程を削減でき、これによって、ケーブル支持具の取り付けの時間短縮を実現できる。
【００１０】
この特許文献２の従来技術は、一対のケーブル支持部材を連結するために、ケーブル支持部材を対向させながら、夫々に取り付けたスタッドボルトを螺合する作業が必要であり、しかも、この作業が複数のケーブル支持具を連設する分だけ必要であった。
【００１１】
また、一つのケーブル支持具を構成するのに、複数のケーブル支持部材及び複数のスタッドボルトという多くの構成部材が必要であった。
【００１２】
本考案は、このような問題に対処することを課題の一例とするものである。すなわち、ケーブル支持具の取り付け工程を削減できること、ケーブル支持具の取り付け作業時間を更に短縮できること、複数のケーブルの挿通作業時間を更に短縮できること、これにより、ケーブルの支持作業の容易化及び迅速化、並びに低コスト化が達成できること、等が本考案の目的である。
【課題を解決するための手段】
【００１３】
このような目的を達成するために、本考案によるケーブル支持具は、以下の構成を少なくとも具備するものである。
【００１４】
ケーブルを支持するケーブル支持具であって、前記ケーブルを挿通支持するケーブル挿通部と、隣接して対面する前記ケーブル挿通部同士を連結する連結部と、を備え、前記連結部は、前記ケーブル挿通部同士が対面する一端面に設けられた係合部と、他端面に設けられた被係合部とを備え、前記被係合部に対する前記係合部の係合によって、複数の前記ケーブル支持具の連結を行うことが可能にされていることを特徴とするケーブル支持具である。
【図面の簡単な説明】
【００１５】
【図１】本考案に係るケーブル支持具の第一実施形態を示す一部切欠平面図であり、複数のケーブル支持具を連結して取り付け対象部に取り付けた状態を示す。
【図２】図１の側面図。
【図３】図１の要部拡大図であり、ケーブル支持具の一つを連結前の状態として示す。
【図４】ケーブル支持具の第二実施形態を示す一部切欠平面図である。
【考案を実施するための形態】
【００１６】
本考案では、前記係合部を係合突起とし、前記被係合部を前記突起が挿し込まれる係合孔とし、前記係合突起には、前記係合孔への挿し込み状態において、前記係合孔の周りに掛合することで、前記係合孔に対する前記係合突起の挿し込み状態を保持する保持突起を備えることが好ましい。
【００１７】
また、本考案では、前記ケーブル挿通部が、前記ケーブルの周囲を囲むように形成された支持部と、前記支持部の径方向側の一部に、前記ケーブルを前記支持部の径方向から該支持部に挿入するように形成された挿入空間とを備え、前記挿入空間が、該挿入空間の幅を前記ケーブルの径よりも幅狭とすると共に、前記ケーブル挿通部同士が対面する一端面側に形成されていることが好ましい。
【００１８】
また、本考案では、前記被係合部と同じ構成とする被係合部と、前記ケーブル支持具を配置する取り付け対象部に取り付けられる取り付け部とを有する取り付け体を備えていることが好ましい。
【００１９】
本明細書において説明するケーブルは、電話局や無線局等の各種通信施設の基地局と受信装置とにわたり敷設される複合ケーブルや同軸ケーブル等の各種ケーブルである。
【００２０】
また、本明細書において説明する取り付け対象部は、受信装置が設置される高所や鉄塔に設けられたラダーや鉄塔を構成する鉄骨等、或いは、ラダーや鉄塔を構成する鉄骨等に設けられた他のケーブル支持具である。
【００２１】
以下、本考案の実施形態に係るケーブル支持具１を、図１〜図４に基づいて説明する。図１〜図３は、本考案の第一実施形態に係るケーブル支持具１を示し、図４は、本考案の第二実施形態に係るケーブル支持具１を示す。尚、以下で説明する各実施形態は、本考案を限定するものではない。
【００２２】
本考案の第一実施形態に係るケーブル支持具１は、ケーブルＡを挿通支持するケーブル挿通部２と、隣接して対面するケーブル挿通部２同士を連結する連結部３とを備えており、連結部３を介して複数のケーブル支持具１を連結することで、複数本のケーブルＡを支持できるようにされたものである。
【００２３】
ケーブル挿通部２は、ケーブルＡの周囲を囲むように形成された支持部２０と、支持部２０の径方向側の一部に、ケーブルＡを支持部２０の径方向から支持部２０に挿入するように形成された挿入空間２１とを備えている。
【００２４】
支持部２０は、支持されるケーブルＡの径と同径にされており、ケーブルＡの挿通支持状態において、ケーブルＡが支持部２０に径方向で適合して挿通支持できるようにされ、これにより、ケーブルＡをがたつきなく、しっかりと挿通支持することができる。
【００２５】
挿入空間２１は、ケーブル挿通部２の上下方向の全域に、支持部２０の径方向に沿うように、ケーブル挿通部２同士が対面する一端面側にケーブルＡの径よりも幅狭とする幅として形成されている。
【００２６】
このようなケーブル挿通部２にケーブルＡを挿通させるには、ケーブルＡの軸を支持部２０の軸と平行とした状態として、ケーブルＡを挿入空間２１に正対させて支持部２０に押し込むように挿入することで、支持部２０にケーブルＡを挿通させることができる。
【００２７】
また、ケーブル挿通部２からケーブルＡを取り外すには、支持部２０から軸方向に突出したケーブルＡを挿入空間２１方向に引っ張ることで挿入空間２１から取り外すことができる。
【００２８】
連結部３は、図３に示すように、ケーブル挿通部２の挿入空間２１側の端面に突設された係合突起（係合部）３０と、挿入空間２１側の端面と反対側の端面に開孔された係合孔（被係合部）３１とを備えている。
【００２９】
ケーブル挿通部２同士は、係合突起３０側（挿入空間２１側）の端面と係合孔３１側（挿入空間２１とは反対側）の端面とを対面させると共に、係合突起３０を係合孔３１に係合させることで連結され、これによって、係合孔３１側の端面が挿入空間２１を塞ぐことができ、これによって、ケーブルＡを支持部２０に確実に保持することができる。
【００３０】
係合突起３０は、曲げ変形から元の形状に戻る弾性を有する金属薄板３Ａから構成され、挿入空間２１側に挿入空間２１の両側に二か所突設されている。
【００３１】
この係合突起３０の外側面には、係合突起３０が係合孔３１に係合したときに、係合孔３１の縁に掛合してこの係合孔３１からの係合突起３０の抜け止めをする保持突起３０Ａが形成されている。
【００３２】
保持突起３０Ａは、先端側（係合孔３１側）から後端側に拡がる方向に傾斜するように形成された案内傾斜面３０１Ａと、案内傾斜面３０１Ａの後端から係合突起３０の外側面に向かって、係合孔３１の縁周りの面と正対して掛合するように形成された掛合面３０２Ａとを有している。
【００３３】
係合孔３１は、ケーブル挿通部２同士を連結する際に、保持突起３０Ａと対面する位置に二か所開孔されており、係合孔３１における外側縁の間の間隔が、案内傾斜面３０１Ａにおける後端同士の間の間隔よりも狭く、係合突起３０の先端同士の間隔よりも広くなるように配置されている。
【００３４】
このような係合突起３０の係合孔３１に係合は、係合突起３０の先端を係合孔３１に押し込むように挿入していくと、案内傾斜面３０１Ａが係合孔３１の縁に接触すると共に、案内傾斜面３０１Ａの傾斜によって、係合突起３０同士が互いに近づく方向に変形して、保持突起３０Ａが係合孔３１を通過し、且つ保持突起３０Ａの通過後に、係合突起３０同士が元の形状に戻ることで、掛合面３０２Ａが係合孔３１の縁周りの面と正対して掛合することで行われる。
【００３５】
すなわち、係合突起３０を係合孔３１に挿入するという、ワンタッチの動作で、係合突起３０を係合孔３１に抜け止めされた状態で係合することができ、これによって、複数のケーブル支持具１を連結することができる。
【００３６】
係合突起３０と係合孔３１は、図３に示すように、ケーブル挿通部２の挿入空間２１と反対側の端面からコーナー部２Ａを経て側部にわたるように連設された金属薄板３Ａに設けられており、面取りされたケーブル挿通部２のコーナー部２Ａの外側に直角のコーナー部４０を構成するように曲げ形成されている。
【００３７】
係合突起３０は、挿入空間２１側の端面から突出する金属薄板３Ａの先端に設けられ、係合孔３１は、挿入空間２１と反対側の端面に位置する金属薄板３Ａに開孔されている。
【００３８】
また、面取りされたケーブル挿通部２のコーナー部２Ａと金属薄板３Ａの直角のコーナー部４０との間の空間Ｓは、係合孔３１に係合する係合突起３０を収容するものであり、この空間Ｓによって、係合孔３１に係合突起３０を挿し込むことができると共に、係合させることができる。
【００３９】
また、この空間Ｓは、係合孔３１に係合された係合突起３０の係合解除作業を行うための作業空間としても利用されている。
【００４０】
この係合突起３０の係合解除作業は、空間Ｓに棒（図示せず）を挿し込み、この棒で係合突起３０を内側に曲げて、係合孔３１に対する保持突起３０Ａの掛合面３０２Ａの掛合を外すことで、係合孔３１から係合突起３０を引き抜くことができ、これによって、係合孔３１に対する係合突起３０の係合を解除することができる。
【００４１】
そして、係合孔３１に対する係合突起３０の係合を解除することで、ケーブル挿通部２同士の連結が外され、これによって、ケーブル支持具１同士を分離することができるので、支持部２０に対するケーブルＡの着脱を行うことができる。
【００４２】
ケーブル支持具１の最初の一個は、受信装置（図示せず）が設置される鉄塔等のラダーＣ１に設けられた他の構成とする給電線支持具（取り付け対象部）Ｃに配置された取り付け体Ｂに連結される。
【００４３】
取り付け体Ｂは、金属板を用いて形成されており、表面側に係合孔３１と同構成とする係合孔Ｂ１、Ｂ２が開孔されていて、取り付け体Ｂに対して、連結された複数のケーブル支持具１を二列取り付けることができるようにされている。
【００４４】
この取り付け体Ｂは、給電線支持具ＣをラダーＣ１に取り付けると共に、給電線Ｄの支持状態を保持するボルト・ナットＣ２によって締め付け固定されている。
【００４５】
ここで、給電線支持具Ｃは、ケーブルＡよりも大径とする給電線Ｄを二本支持する構成を備えており、給電線支持具Ｃの一方を構成する不動部材Ｃ３と、他方を構成する二個の可動部材Ｃ４、Ｃ５とを備えている。
【００４６】
可動部材Ｃ４、Ｃ５は、不動部材Ｃ３に対して開閉自在に軸支されており、不動部材Ｃ３に対して可動部材Ｃ４、Ｃ５を開状態（図１において仮想線で示す状態）とすることで、不動部材Ｃ３に設けられた支持凹部Ｃ３０、Ｃ３０を開放し、給電線Ｄを支持凹部Ｃ３０、Ｃ３０に挿入することができる。
【００４７】
また、可動部材Ｃ４、Ｃ５を閉状態にすることで、可動部材Ｃ４、Ｃ５に設けられた支持凹部Ｃ４０、Ｃ５０と、不動部材Ｃ３に設けられた支持凹部Ｃ３０、Ｃ３０とで、給電線Ｄを挿通支持するケーブル挿通孔Ｃ６、Ｃ７を構成することができる。
【００４８】
取り付け体Ｂを給電線支持具Ｃに取り付けることによって、ケーブルＡと給電線Ｄを近接した状態で挿通保持することができ、これによって、ケーブルＡと給電線Ｄの挿通支持作業を迅速に行うことができる。
【００４９】
次に、図４に基づいて、本考案の第二実施形態に係るケーブル支持具１を説明する。尚、第一実施形態と重複する部位の説明は、同符号を付すことによって省略する。
【００５０】
本形態のケーブル支持具１は、取り付け体Ｂを、ボルト・ナットＣ２を介してラダー（取り付け対象部）Ｃ１に直接取り付けたものである。
【００５１】
このような取り付け体Ｂの取り付け形態によって、給電線支持具Ｃがなくても、ケーブル支持具１を取り付けることができると共に、給電線Ｄが必要ない部位においてもケーブル支持具１を取り付けることができる。
【００５２】
以上説明したケーブル支持具１によると、複数のケーブル支持具１を、連結部３を介してワンタッチで連結することができるので、ケーブル支持具１の取り付け工程を削減できると共に、ケーブル支持具１の取り付け作業時間を更に短縮でき、且つ複数のケーブルＡの挿通作業時間を更に短縮できる。これにより、ケーブルＡの支持作業の容易化及び迅速化、並びに低コスト化が達成できる。
【符号の説明】
【００５３】
Ａ：ケーブル
１：ケーブル支持具
２：ケーブル挿通部
３：連結部
２０：支持部
２１：挿入空間
３０：係合突起（係合部）
３１：係合孔（被係合部）
３０Ａ：保持突起
Ｂ：取り付け体
Ｂ１：係合孔（被係合部）
Ｂ２：係合孔（被係合部）
Ｃ：給電線支持具（取り付け対象部）
Ｃ１：ラダー（取り付け対象部）
【図１】
0003188664.tif 000003
【図２】
0003188664.tif 000004
【図３】
0003188664.tif 000005
【図４】
0003188664.tif 000006